(57)【要約】【課題】面部の温度を検出することができる表示装置、温度情報取得装置及び温度情報取得方法を提供する。【解決手段】表示装置は、画像を表示する表示部２１０と、表示部２１０に対して光を照射する照射部１８０と、Ｘ方向に並列する複数の電極２１５と、複数の電極２１５に電気信号を印加する印加部１１０と、電気信号により生じる複数の電極２１５の電気的変化を検出する検出部１２０と、電気的変化が示す複数の電極２１５の温度情報に基づいて、表示部２１０又は照明部１８０を制御する制御部１３０と、を備える。【選択図】図１９
2015200720.tif 000002
【特許請求の範囲】
【請求項１】
画像を表示する表示部と、
前記表示部に対して光を照射する照射部と、
前記表示部の表示面に沿う所定の一方向に並列する複数の電極と、
前記複数の電極に電気信号を印加する印加部と、
前記電気信号により生じる前記複数の電極の電気的変化を検出する検出部と、
前記電気的変化が示す前記複数の電極の温度情報に基づいて、前記表示部又は前記照明部を制御する制御部と
を備える表示装置。
【請求項２】
前記複数の電極の各々は、
前記一方向に間隔をあけて並列する複数の延設部と、
複数の前記延設部の一端同士を接続する接続部と
を有し、
前記複数の延設部の各々は、長手方向が前記一方向に直交する他方向に沿い、
前記制御部は、前記複数の電極の各々の他方向の温度分布に基づいて、前記表示部又は前記照明部を制御する
請求項１に記載の表示装置。
【請求項３】
前記電気的変化は、前記電気信号が印加されている前記電極の平衡電流値と前記電気信号が印加されている状態から非印加の状態になった後に生じた電流値の変化又は前記電気信号が印加されている前記電極の平衡電圧値と前記電気信号が印加されている状態から非印加の状態になった後に生じた電圧値の変化である
請求項２に記載の表示装置。
【請求項４】
二つの前記延設部同士の前記他方向の間隔は、当該二つの前記延設部間に電荷が蓄えられる間隔である
請求項３に記載の表示装置。
【請求項５】
複数の前記延設部間には誘電体が介在する
請求項４に記載の表示装置。
【請求項６】
前記電極は、透明電極である
請求項１から５のいずれか一項に記載の表示装置。
【請求項７】
所定の一方向に並列する複数の電極と、
前記複数の電極に電気信号を印加する印加部と、
前記電気信号により生じる前記複数の電極の電気的変化を検出する検出部と、
前記電気的変化に基づいて前記複数の電極の各々の温度情報を特定する特定部と
を備える温度情報取得装置。
【請求項８】
所定の一方向に並列する複数の電極に電気信号を印加することと、
前記電気信号により生じる前記複数の電極の電気的変化を検出することと、
前記電気的変化に基づいて前記複数の電極の各々の温度情報を特定することと
を含む温度情報取得方法。
【発明の詳細な説明】
【技術分野】
【０００１】
本発明は、表示装置、温度情報取得装置及び温度情報取得方法に関する。
【背景技術】
【０００２】
表示装置として一般的な液晶ディスプレイは、温度により動作時の応答特性が変化する。このため、液晶ディスプレイの周囲の温度を検出する温度センサにより検出された温度に応じた液晶ディスプレイの動作制御を行う方法が知られている（例えば特許文献１）。
【先行技術文献】
【特許文献】
【０００３】
【特許文献１】特開２０１１−０９９８７９号公報
【発明の概要】
【発明が解決しようとする課題】
【０００４】
ところで、液晶ディスプレイは、液晶の特性上、表示領域内で所定以上の高温に達した部分が生じると、その部分で表示不良が起こる可能性がある。例えば、太陽光の照射等により液晶ディスプレイの一部又は全部が１００℃を超えると、その部分の表示内容が乱れる又は表示ができなくなる等の表示不良が起こる可能性がある。このような温度による問題に係り、液晶ディスプレイの表示面のような面部の温度を検出したいという要望がある。しかしながら、特許文献１に記載の方法では、このような面部の温度を検出することができなかった。
【０００５】
本開示は、上記の課題に鑑みてなされたもので、面部の温度を検出することができる表示装置、温度情報取得装置及び温度情報取得方法を提供することを目的とする。
【課題を解決するための手段】
【０００６】
本発明の一態様による表示装置は、画像を表示する表示部と、前記表示部に対して光を照射する照射部と、前記表示部の表示面に沿う所定の一方向に並列する複数の電極と、前記複数の電極に電気信号を印加する印加部と、前記電気信号により生じる前記複数の電極の電気的変化を検出する検出部と、前記電気的変化が示す前記複数の電極の温度情報に基づいて、前記表示部又は前記照明部を制御する制御部とを備える。
【図面の簡単な説明】
【０００７】
【図１】図１は、第１実施例によるコマンド実行装置の主要機能に係る構成を示すブロック図である。
【図２】図２は、複数の電極の配置及び電極に接続された検出部の接続の一例を示す図である。
【図３】図３は、パネルの一部分の温度を他の部分の温度に比して上昇させた場合における複数の電極の電気抵抗値の変化を測定するための試験に係る構成の一例を示す図である。
【図４】図４は、パネルの一か所に集光の中心が位置する場合のパネルの温度分布を示す図である。
【図５】図５は、図４とは異なるパネルの一か所に集光の中心が位置する場合のパネルの温度分布を示す図である。
【図６】図６は、図４及び図５に示す温度分布における各電極の電気抵抗値の一例を示す図である。
【図７】図７は、コマンド実行に係る各部の動作の流れの一例を示すフローチャートである。
【図８】図８は、図７のフローチャートにおけるステップＳ３の具体的処理内容の一例を示すサブフローチャートである。
【図９】図９は、第２実施例による表示装置の主要機能に係る構成を示すブロック図である。
【図１０】図１０は、本発明の表示装置の表示部に組み込まれた温度センサ電極の配置の一例を示す図である。
【図１１】図１１は、電極の具体的形状及び配置の一例を示す図である。
【図１２】図１２は、一つの電極に関する電気的な特徴を示す図である。
【図１３】図１３は、電極全体の温度が均等である場合の電流値の変化の一例を示す図である。
【図１４】図１４は、電極のうち検出部に接続された端部側（図１１及び図１２に示す電極の下側）の部分の温度が他の部分の温度に比して高い場合の電流値の変化の一例を示す図である。
【図１５】図１５は、電極のうちＹ方向の中央部分の温度が他の部分の温度に比して高い場合の電流値の変化の一例を示す図である。
【図１６】図１６は、電極のうち端部の反対側（図１１及び図１２に示す電極の上側）の部分の温度が他の部分の温度に比して高い場合の電流値の変化の一例を示す図である。
【図１７】図１７は、第２実施例における電極２１５の温度情報に関する処理の流れの一例を示すフローチャートである。
【図１８】図１８は、第２実施例における特定部による温度分布モデルデータの特定処理の流れの一例を示すフローチャートである。
【図１９】図１９は、第３実施例による表示装置の主要機能に係る構成を示すブロック図である。
【図２０】図２０は、一つの電極の計算モデルの一例を示す図である。
【図２１】図２１は、低抵抗時のパルス応答の変化パターンに対応する電圧波形の一例を示す図である。
【図２２】図２２は、高抵抗時のパルス応答の変化パターンに対応する電圧波形の一例を示す図である。
【図２３】図２３は、図２１に示す変化パターンにより示される電圧値の積分を示す図である。
【図２４】図２４は、図２２に示す変化パターンにより示される電圧値の積分を示す図である。
【図２５】図２５は、図２１に示す電圧値のうちパルスオン開始から２００マイクロ秒〜２５０マイクロ秒後の電圧値の積分から得られる電圧値の変化の最小値を示す図である。
【図２６】図２６は、図２２に示す電圧値のうちパルスオン開始から２００マイクロ秒〜２５０マイクロ秒後の電圧値の積分から得られる電圧値の変化の最小値を示す図である。
【図２７】図２７は、二つの参照テーブルの各々に含まれる複数の抵抗分布モデルの各々と対応付けられた電圧値の積分から得られる電圧値の変化の最小値の一例を示す図である。
【図２８】図２８は、図２３に示す電圧波形積分のうち、パルスオン開始から１８０マイクロ秒〜２１０マイクロ秒後の電圧波形積分を拡大して示す図である。
【図２９】図２９は、図２４に示す電圧波形積分のうち、パルスオン開始から１８０マイクロ秒〜２１０マイクロ秒後の電圧波形積分を拡大して示す図である。
【図３０】図３０は、二つの参照テーブルの各々に含まれる複数の抵抗分布モデルの各々と対応付けられた電圧積分値の一例を示す図である。
【図３１】図３１は、第３実施例における電極２１５の温度情報に関する処理の流れの一例を示すフローチャートである。
【図３２】図３２は、第３実施例における特定部による抵抗分布モデルデータの特定処理の流れの一例を示すフローチャートである。
【図３３】図３３は、本発明の表示装置が適用されるヘッドアップディスプレイを示す概略図である。
【図３４】図３４は、本発明の実施の形態に係るタッチ検出機能付き表示装置の一構成例を表すものである。
【図３５】図３５は、図３４の要部（部分Ａ１）の断面構造の例を表すものである。
【図３６】図３６は、タッチ検出電極ＴＤＬに対する電気的接続の構成の一例を示す図である。
【図３７】図３７は、本発明の入力機能付き表示装置が適用される車載表示装置の外観の一例を示す図である。
【図３８】図３８は、本発明の入力機能付き表示装置が適用されるスマートフォンの外観の一例を示す図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
説明は以下の順序で行う。
１．第１実施例
２．第２実施例
３．第３実施例
４．適用例
５．その他
【００１０】
＜１．第１実施例＞
まず、図１〜図８を参照して、本発明の第１実施例について説明する。以下の説明において、液晶ディスプレイの表示面等の平面に沿う所定の一方向をＸ方向とし、この平面に沿い、かつ、Ｘ方向に直交する方向をＹ方向とし、Ｘ方向及びＹ方向に直交する方向をＺ方向とする。
【００１１】
図１は、第１実施例によるコマンド実行装置１００の主要機能に係る構成を示すブロック図である。図１に示すように、コマンド実行装置１００は、複数の電極（例えば電極Ａ，Ｂ，Ｃ，Ｄ，Ｅ，Ｆ，Ｇ，Ｈ，Ｉ，Ｊ）と、印加部１１０と、検出部１２０と、制御部１３０と、図示しない通知部とを備える。
【００１２】
図２は、複数の電極Ａ〜Ｊの配置及び電極Ａ〜Ｊに接続された検出部１２０の接続の一例を示す図である。具体的には、複数の電極Ａ〜Ｊは、所定の一方向に並列する。具体的には、複数の電極Ａ〜Ｊは、例えば、Ｘ方向に並列し、長手方向がＹ方向に沿う十の電極である。複数の電極Ａ〜Ｊは、板状のパネル１６１の平面に沿って設けられる。
【００１３】
印加部１１０は、複数の電極Ａ〜Ｊに電気信号を印加する。具体的には、印加部１１０は、例えば、所定のパルス信号を電気信号として電極Ａ〜Ｊに出力する回路及びこの回路によるパルス信号の出力の有無を切り替えるコントローラ等を有する。印加部１１０は、電極Ａ〜Ｊと電気的に接続され、パルス信号を電極Ａ〜Ｊに出力する。
【００１４】
検出部１２０は、電気信号により生じる複数の電極Ａ〜Ｊの電気的変化を検出する。具体的には、検出部１２０は、例えば複数の電極Ａ〜Ｊの各々の電気抵抗値を測定する回路である。検出部１２０は、印加部１１０により印加されたパルス信号に応じて電極Ａ〜Ｊに流れた電流値又は電極Ａ〜Ｊの電圧値に基づいて、電極Ａ〜Ｊの抵抗値を測定する。印加部１１０及び検出部１２０は、例えば接続される電極Ａ〜Ｊを切り替えるスイッチを介して複数の電極Ａ〜Ｊと接続されるが、一例であってこれに限られるものでない。複数の電極Ａ〜Ｊの各々に個別に印加部１１０及び検出部１２０を設けてもよい。
【００１５】
制御部１３０は、記憶部１３１と、演算部１３２とを有する。記憶部１３１は、プログラム１４１及び温度モデルデータ１４２を記憶する記憶装置である。プログラム１４１は、検出部により検出された電気的変化が示す複数の電極の温度に基づいてコマンドを実行するためのプログラムである。温度モデルデータ１４２は、電極Ａ〜Ｊの電気抵抗値と電極Ａ〜Ｊの温度との関係を示すデータである。より具体的に言えば、温度モデルデータ１４２は、一つの電極の電気抵抗値がある電気抵抗値（例えば所定の範囲内の電気抵抗値）である場合に当該一つの電極がある温度（例えば所定の範囲内の温度又は所定の温度以下の温度）であることを示すデータである。すなわち、温度モデルデータ１４２を用いることで、電極Ａ〜Ｊの電気抵抗値から電極Ａ〜Ｊの温度を求めることができる。このように、制御部１３０は、プログラム１４１を実行し、検出部１２０により検出された電極Ａ〜Ｊの電気抵抗値及び温度モデルデータ１４２を用いることで、複数の電極Ａ〜Ｊの各々の電気抵抗値から複数の電極Ａ〜Ｊの各々の温度を特定し、特定された温度に基づいたコマンドを実行することができる。具体的には、演算部１３２は、記憶部１３１からプログラム１４１を読み出して実行処理することで、特定部１３５及び実行部１３６として機能する。特定部１３５は、検出部１２０により検出された電気的変化（電気抵抗値）に対応する温度情報を特定するための演算を行う。実行部１３６は、複数の電極の電気的変化が示す複数の電極の温度（例えば特定部１３５により特定された温度）に基づいてコマンドを実行する。具体的には、制御部１３０は、例えばパネル１６１に設けられた複数の電極のうち最も温度が高い電極を示す識別情報及び当該電極の温度を通知するためのコマンドを通知部に出力する。
【００１６】
通知部は、制御部１３０の制御下で動作することで、複数の電極のうち最も温度が高い電極を示す識別情報及び当該電極の温度を通知する。具体的には、通知部は、例えば識別情報通知部１９１と温度通知部１９２とを有する。識別情報通知部１９１は、Ｘ方向についてパネル１６１で最も温度が高い位置をＡ〜Ｊのいずれかの記号で示す。温度通知部１９２は、識別情報通知部１９１が示す位置における電極の温度を示す。通知部は、例えば複数の７セグメントディスプレイで構成されるが、これは通知部の具体的構成の一例であってこれに限られるものでない。通知部は、他の表示装置により同様の表示を行ってもよいし、表示以外の方法（例えば音声通知等）で同様の通知を行うための構成であってもよい。また、通知部は、表示及び表示以外の方法による通知を同時又は選択的に行う構成であってもよい。
【００１７】
図３は、パネル１６１の一部分の温度を他の部分の温度に比して上昇させた場合における複数の電極Ａ〜Ｊの電気抵抗値の変化を測定するための試験に係る構成の一例を示す図である。図４及び図５は、パネル１６１の温度分布の一例を示す図である。図４は、パネル１６１の一か所に集光の中心が位置する場合の温度分布を示す図である。図５は、図４とは異なるパネル１６１の一か所に集光の中心が位置する場合の温度分布を示す図である。図６は、図４及び図５に示す温度分布における複数の電極Ａ〜Ｊの各々の電気抵抗値の一例を示す図である。
【００１８】
図３に示すように、パネル１６１は、集光レンズ１６２を介して集光された人工太陽灯等の光源１６３の光を照射される。集光された光が照射されるパネル１６１上の位置は移動可能である。サーモグラフィー１６４は、パネル１６１の各部の温度を測定し、図４及び図５に示すように、パネル１６１の温度分布を示す画像を出力する。
【００１９】
サーモグラフィー１６４による温度の測定中に、パネル１６１上で集光された光が照射される位置を電極Ｆ上から電極Ｅ上に移動させた場合、図４、図５に示すように、パネル１６１においてより温度が高い部分は、電極Ｆ上から電極Ｅ上に移動する。この温度分布の変化に伴い、検出部１２０により測定される複数の電極Ａ〜Ｊの電気抵抗値は、図６に示すように、抵抗値分布曲線１７０Ｆから抵抗値分布曲線１７０Ｅのように変化する。すなわち、パネル１６１の温度分布においてより温度が高い部分が電極Ｆ上から電極Ｅ上に移動することに伴い、電気抵抗値のピークも、電極Ｆから電極Ｅに移動する。このように、パネル１６１の各部における温度の高低と、パネル１６１の各部に設けられた複数の電極Ａ〜Ｊの各々が示す電気抵抗値の高低とは連動する。よって、パネル１６１に設けられた複数の電極Ａ〜Ｊの電気抵抗値を取得することで、パネル１６１のＸ方向の温度分布を示す情報が得られる。
【００２０】
具体的には、本実施例において、特定部１３５は、温度モデルデータ１４２が示す電気抵抗値と温度との対応関係を用いて検出部１２０により検出された複数の電極Ａ〜Ｊの各々の電気抵抗値に対応する温度を特定する。これにより、特定部１３５は、複数の電極Ａ〜Ｊが設けられた位置に対応するパネル１６１のＸ方向の各位置の温度を示す情報を取得する。また、特定部１３５は、複数の電極Ａ〜Ｊの各々の温度を示す情報を、複数の電極Ａ〜Ｊが設けられた範囲におけるパネル１６１のＸ方向の温度分布を示す情報として取得することができる。
【００２１】
本実施例において、実行部１３６は、パネル１６１に設けられた複数の電極のうち最も温度が高い電極を示す識別情報及び当該電極の温度を通知するためのコマンドを通知部に出力する。具体的には、パネル１６１上で集光された光が照射される位置が電極Ｆ上である場合、電極Ｆの位置を示す「Ｆ」の記号を識別情報通知部１９１で示すと共に、電極Ｆの温度を温度通知部１９２で示すためのコマンドを通知部に出力する。パネル１６１上で集光された光が照射される位置が電極Ｆ上から電極Ｅ上に移動して電極Ｅの温度が電極Ｆの温度よりも高くなった後、実行部１３６は、電極Ｅの位置を示す「Ｅ」の記号を識別情報通知部１９１で示すと共に、電極Ｅの温度を温度通知部１９２で示すためのコマンドを通知部に出力する。なお、特定部１３５による温度の特定及び実行部１３６によるコマンドの実行の実施タイミング（例えば実施周期等）は任意である。ここで、特定部１３５は、特定の電極（例えば温度が高くなりやすい位置に存する電極等）に係る温度の特定の頻度を他の電極に比してより高くしてもよい。具体的には、検出部１２０による特定の電極（例えば温度が高くなりやすい位置に存する電極等）に係る電気的変化の検出の頻度を他の電極に比してより高くし、この検出をトリガーにして特定部１３５が温度の特定を行うようにしてもよいし、特定部１３５が温度の特定の頻度を決定して決定された頻度に応じて検出部１２０を動作させるようにしてもよい。実行部１３６は、最も温度が高い電極又は当該電極の温度に変化があった場合にコマンドを実行するようにしてもよいし、変化の有無に関わらず最新の特定結果に応じた内容のコマンドを実行するようにしてもよい。
【００２２】
図７は、コマンド実行に係る各部の動作の流れの一例を示すフローチャートである。印加部１１０は、複数の電極Ａ〜Ｊに電気信号を印加する（ステップＳ１）。検出部１２０は、ステップＳ１で印加された電気信号により生じる複数の電極Ａ〜Ｊの電気的変化を検出する（ステップＳ２）。第１実施例では、ステップＳ２で複数の電極Ａ〜Ｊの各々の電気抵抗値が測定される。特定部１３５は、ステップＳ２で検出された電気的変化に基づいて複数の電極Ａ〜Ｊの各々の温度を特定する（ステップＳ３）。実行部１３６は、ステップＳ３で特定された複数の電極Ａ〜Ｊの各々の温度情報に基づきコマンドを実行する。たとえば、複数の電極Ａ〜Ｊのうち最も温度が高い電極を示す識別情報及び当該電極の温度を通知するためのコマンドを通知部に出力し、通知部は、ステップＳ４のコマンドに応じた通知を行う。
【００２３】
図８は、図７のフローチャートにおけるステップＳ３の具体的処理内容の一例を示すサブフローチャートである。演算部１３２は、まだ温度に関する情報が特定されていない一つの電極（例えば電極Ａ，Ｂ，Ｃ，Ｄ，Ｅ，Ｆ，Ｇ，Ｈ，Ｉ，Ｊのいずれか一つ）を選択する（ステップＳ１１）。演算部１３２は、ステップＳ１１で選択された電極の電気抵抗値に対応する温度モデルデータ１４２を特定する（ステップＳ１２）。温度モデルデータ１４２の特定により、その温度モデルデータ１４２が示す電極の温度が特定される。演算部１３２は、複数の電極Ａ〜Ｊ全ての温度モデルデータ１４２を特定したか否か判定する（ステップＳ１３）。まだ複数の電極Ａ〜Ｊ全ての温度モデルデータ１４２を特定していない場合（ステップＳ１３；Ｎｏ）、処理は、ステップＳ１１に移行する。複数の電極Ａ〜Ｊ全ての温度モデルデータ１４２を特定した場合（ステップＳ１３；Ｙｅｓ）、演算部１３２は、ステップＳ３の処理を完了する。なお、一つの電極の温度の特定に関する処理を電極の数だけループさせる方法に限らず、複数の電極のうち一部又は全部の温度を並行処理で特定するようにしてもよい。
【００２４】
以上、第１実施例によれば、温度に応じた電気的変化の検出結果に基づいて、複数の電極Ａ〜Ｊの温度を特定することができる。このため、複数の電極Ａ〜Ｊが設けられたパネル１６１の面部の温度を検出することができる。
また、複数の電極Ａ〜Ｊの各々の温度を個別に特定することができる。このため、複数の電極Ａ〜Ｊが並列するＸ方向について、パネル１６１の各部分の温度を個別に検出することができる。
【００２５】
＜２．第２実施例＞
次に、図９〜図１８を参照して、本発明の第２実施例について説明する。第２実施例は、本発明による表示装置（表示装置２００）の一実施例である。第２実施例において、第１実施例と同様の構成については、同じ符号を付して説明を省略することがある。図９は、第２実施例による表示装置２００の主要機能に係る構成を示すブロック図である。表示装置２００は、表示部２１０を備える。表示部２１０は、例えば液晶ディスプレイである。また、表示装置２００は、第１実施例における電極Ａ〜Ｊに代えて、電極２１５を備える。電極２１５は、表示部２１０に設けられている。
【００２６】
第２実施例の検出部１２０は、電極２１５を流れる電流値を検出する電流検出部１２１を有する。検出部１２０は、印加部１１０により印加された電気信号により生じる電流値の変化を電流検出部１２１で検出する。検出部１２０は、検出された電気的変化（電流値の変化）を示す信号を制御部１３０に出力する。
【００２７】
第２実施例の記憶部１３１は、複数の温度分布モデルデータ２４２を記憶する。温度分布モデルデータ２４２は、検出部１２０により検出された電極２１５を流れる電流値の検出結果と電極２１５の温度分布との関係を示すデータである。第２実施例において、複数の温度分布モデルデータ２４２のうち、平衡電流値（後述）が同一である温度分布モデルデータ２４２は、一つの参照単位（例えば参照テーブル２４５）にまとめられている。第２実施例の特定部１３５は、検出部１２０により検出された電流値の変化を示す情報から、この変化に対応する温度分布モデルデータ２４２を特定する。なお、「温度分布」とは、電極部２１５の各部分の相対的な温度の高低に限らず、各部分の温度が具体的に何度（例えば摂氏℃）であるかを示す。言い換えれば、温度分布モデルデータ２４２を用いて、電極２１５の各部分の具体的な温度を求めることができる。
【００２８】
第２実施例の実行部１３６は、複数の電極２１５の温度情報に基づいて、表示部２１０の動作を制御するためのコマンドを実行する。具体的には、実行部１３６は、例えば、複数の電極２１５の一部又は全部が第１温度（例えば１００℃）を超えた場合、表示部２１０による表示を終了させるためのコマンドを表示部２１０に出力する。表示部２１０は、当該コマンドに応じて表示動作を終了する。これによって、表示部２１０の表示面の温度の上昇に伴う表示の乱れ等が生じたまま表示が継続されることを抑制することができる。
【００２９】
以下、表示部２１０及び電極２１５について詳細に説明する。図１０は、表示装置２００の表示部２１０に組み込まれた温度センサ電極（以下、電極２１５と記載）の配置の一例を示す図である。図１０に示すように、表示部２１０は、液晶セル２１１、光源２１２及び二枚の偏光板２１３等を備える。電極２１５は、例えば表示面側の偏光板２１３と液晶セル２１１との間に設けられている。
【００３０】
図１１は、電極２１５の具体的形状及び配置の一例を示す図である。図１２は、一つの電極２１５に関する電気的な特徴を示す図である。図１１に示すように、電極２１５は、表示部２１０の表示面に沿って、Ｘ方向に間隔をあけて並列する複数の延設部２１５Ａと、複数の延設部２１５Ａの一端同士を接続する接続部２１５Ｂとを有する。複数の延設部２１５Ａの各々は、長手方向がＹ方向に沿う。具体的には、電極２１５は、例えば、長手方向がＹ方向に沿う四つの延設部２１５Ａを有する。四つの延設部２１５Ａのうち、Ｘ方向について隣接する二つの延設部２１５Ａの端部と接続部２１５Ｂは、コの字状に屈曲した形状を形成するように接続されている。また、四つの延設部２１５Ａ及び三つの接続部２１５Ｂは、連続する一条の導線として設けられている。すなわち、図１１及び図１２に示すように、電極２１５は、例えば略「Ｍ」字であって、当該「Ｍ」字の屈曲部を同一の方向に曲がる２つの直角の屈曲部の組み合わせとすることで１８０°折り返すようにした形状である。言い換えれば、電極２１５は、凹字の下辺を除いた形状となるように屈曲した一条の導線である。
【００３１】
電極２１５は、透明電極である。具体的には、電極２１５は、例えばＩＴＯ（tin-doped  indium  oxide）で製造された薄膜の透明電極である。
【００３２】
図１２に示すように、第２実施例における印加部１１０は、例えば電極２１５の両端に接続される。第２実施例における検出部１２０は、例えば電極２１５のＸ方向の中央部分の接続部２１５Ｂの両端に接続される。具体的には、電極２１５と、電極２１５の外部に設けられた印加部１１０及び検出部１２０との間には配線が設けられる。この配線によって電極２１５と印加部１１０及び検出部１２０とは電気的に接続される。
【００３３】
二つの延設部２１５Ａ同士のＸ方向の間隔は、当該二つの延設部２１５Ａ間に電荷が蓄えられる間隔である。すなわち、図１２に示すように、電極２１５のうち、延設部２１５Ａが隣接する部分はキャパシタ（コンデンサ）として機能し、電荷を蓄えることで静電容量（以下、単に容量）を持つ。ここで、キャパシタとしての延設部２１５Ａの容量は、延設部２１５Ａ間の電圧に応じて変化する。このため、延設部２１５Ａの電気抵抗値が変化すると、容量も変化することになる。
【００３４】
図１１に示すように、電極２１５は、Ｘ方向に沿って複数設けられる。複数の電極２１５同士のＸ方向の間隔は、複数の電極２１５間に電荷が蓄えられない間隔である。「複数の電極２１５間に電荷が蓄えられない間隔」とは、複数の電極２１５が協働してキャパシタとして機能することがない間隔をさす。さらに補足すれば、仮に複数の電極２１５が協働してキャパシタとして機能したとしても、検出部１２０による電気的変化の検出に際して実質的に無視することができる程度に小さな容量となる間隔をさす。これにより、複数の電極２１５の各々を電気的に独立させることができる。このため、複数の電極２１５の各々の電気的変化をより良好に検出することができる。
【００３５】
図１１に示す複数の電極２１５は、粘着層２１４により偏光板２１３と接着される。粘着層２１４には、誘電体として機能する物質（例えば樹脂等）が含まれていてもよい。すなわち、複数の延設部２１５Ａ間には誘電体が介在するようにしてもよい。この場合、一つの電極２１５が有する二つの延設部２１５Ａ同士のＸ方向の間隔及び複数の電極２１５同士のＸ方向の間隔は、この誘電体による容量への影響を考慮して決定される。具体的には、例えば、凹字の下辺を除いた形状の一つの電極２１５のＸ方向の全幅は、２ｍｍ〜３ｍｍ、好ましくは２ｍｍである。また、電極２１５同士のＸ方向の間隔は、１．５ｍｍ以上である。図１１に示す電極２１５の数及び配置は模式的なものである。本発明における電極２１５の数及び配置は任意である。例えば、表示部２１０において温度が上昇しやすい一部分（例えばヘッドアップディスプレイ（ＨＵＤ）において温度が上昇しやすいＸ方向の中央部等）のみに電極２１５を配置するようにしてもよい。また、Ｘ方向について全体的に電極２１５を配置しつつ、このような一部分により多くの電極２１５を集中的により高密度で配置するようにしてもよい。
【００３６】
次に、電流値の検出結果と電極２１５の温度分布との関係について詳細に説明する。図１３〜図１６は、検出部１２０により検出された電流値の変化と電極２１５の温度分布との対応関係の一例を示す図である。図１３は、電極２１５全体の温度が均等である場合の電流値の変化の一例を示す図である。図１４は、電極２１５のうち検出部１２０に接続された端部側（図１１及び図１２に示す電極２１５の下側）の部分の温度が他の部分の温度に比して高い場合の電流値の変化の一例を示す図である。図１５は、電極２１５のうちＹ方向の中央部分の温度が他の部分の温度に比して高い場合の電流値の変化の一例を示す図である。図１６は、電極２１５のうち端部の反対側（図１１及び図１２に示す電極２１５の上側）の部分の温度が他の部分の温度に比して高い場合の電流値の変化の一例を示す図である。以下の説明における［ｆＥＡ］の記載に含まれる「Ｅ」の文字は、サーカムフレックスが付されたＥの文字であるが、明細書の記載ではサーカムフレックスを省略している。なお、第２実施例における「均等」は、電極２１５のＹ方向における異なる複数個所（例えば図１４〜図１６に示す３箇所）に設定された各部分の温度が、電流値（電気抵抗値）との対応関係に基づいた温度の分解能において実質的に同一であるか、または各部分の温度差が所定の範囲内（例えば１℃以内）であることをさす。
【００３７】
印加部１１０は、第１の所定時間（例えば１１０ミリ秒〜１２０ミリ秒）の間パルスが立ち上がり、その後第２の所定時間（例えば８０ミリ秒〜９０ミリ秒）の間パルスが下がるパルス信号を電極２１５に出力する。以下、パルスが立ち上がっていることを「パルスオン」、パルスが立ち上がっている時間を「パルスオン時」、立ち上がっていたパルスが下がることを「パルスオフ」、パルスオフが生じるタイミングを「パルスオフ時」、パルスオフ時より後の時間を「パルスオフ後」のように記載することがある。「パルスオフ後」は、具体的には、例えば、図１３〜図１６における１２０ミリ秒より後の時間である。
【００３８】
図１３に示すように、電極２１５全体の温度が均等である場合、パルスオフ後における最大の電流値（電流値Ｍａｘ）とパルスオフ後における最小の電流値（電流値Ｍｉｎ）との差は５０［ｆＥＡ］より小さい。一方、図１４〜図１６に示すように、電極２１５のうち一部分の温度が他の部分に比して高い場合、パルスオフ後における電流値Ｍａｘとパルスオフ後における電流値Ｍｉｎとの差は１００［ｆＥＡ］より大きい。このように、電極２１５の温度の均一性と、パルスオフ後の電流値Ｍａｘと電流値Ｍｉｎとの差との間には相関がある。電極２１５全体の温度がより均一に近いほど、パルスオフ後の電流値Ｍａｘと電流値Ｍｉｎとの差は小さくなる。
【００３９】
また、図１４〜図１６に示すように、電極２１５のうち他の部分に比して温度が高い一部分の位置が異なると、パルスオフ後の電流値Ｍａｘの値及び電流値Ｍｉｎの値がそれぞれ異なる値になる。このように、電極２１５において他の部分に比して温度が高い一部分の位置と、パルスオフ後の電流値Ｍａｘの値及び電流値Ｍｉｎの値との間にはそれぞれ相関がある。
【００４０】
このようなパルスオフ後の電流値Ｍａｘの値及び電流値Ｍｉｎの値の変化は、電極２１５を構成する素材の温度と電気抵抗値との対応関係に基づく。電極２１５を構成する金属は温度の上昇に比例して増大する。このため、平衡電流値は温度の上昇に比例して低下する。また、電極２１５のうち、温度が上昇した部分は、容量が増加する。このため、電極２１５の温度が高いほど、パルスオフ時に電極２１５から放電される容量が大きくなることに伴い、パルスオフ後の電流値Ｍａｘと電流値Ｍｉｎとの差が大きくなる。
【００４１】
また、電極２１５の一部分の温度が他の部分に比してより高い場合、この一部分がより高抵抗となる。これにより、この一部分の容量がより大きくなり、放電量が大きくなる。また、この一部分は、温度の低い他の部分の容量からの放電を妨げるように働く。このため、温度が高い部分の位置に応じて放電パターンの変化が生じる。検出部１２０は、この放電パターンの変化を検出する。これらのことから、平衡電流値の高低、パルスオフ後の電流値Ｍａｘと電流値Ｍｉｎとの差並びにパルスオフ後の電流値Ｍａｘの値及び電流値Ｍｉｎの値に基づいて、温度分布モデルデータ２４２を特定することができる。
【００４２】
具体的には、第２実施例における温度分布モデルデータ２４２は、平衡電流値と、パルスオフ後の電流値Ｍａｘの値及び電流値Ｍｉｎの値（並びにこの電流値Ｍａｘの値と電流値Ｍｉｎの値との差）の組み合わせパターンと、この組み合わせパターンが成立する場合の電極の温度分布とを示すデータである。このため、電極２１５の各部分の温度に応じた電気的変化（電流値の変化が示す平衡電流値と、パルスオフ後の電流値Ｍａｘの値及び電流値Ｍｉｎの値）を検出し、検出された電気的変化に対応する温度分布モデルデータ２４２を特定することで、電極２１５の温度分布を特定することができる。
【００４３】
なお、図１３〜図１６に示す平衡電流値は同一である。このため、特定部１３５として機能する演算部１３２は、パルスオン時における平衡電流値に基づいて、記憶部１３１に記憶された温度分布モデルデータ２４２を絞り込むことができる。演算部１３２は、絞り込まれた温度分布モデルデータ２４２から、パルスオフ後の電流値Ｍａｘ及び電流値Ｍｉｎに基づいて、電流値の変化に対応する温度分布モデルデータ２４２を特定する。よって、例えば、記憶部１３１が、平衡電流値が同一である複数の温度分布モデルデータ２４２が一つの参照単位（例えば参照テーブル２４５）にまとめられたデータ形式で温度分布モデルデータ２４２を記憶するようにしてもよい。言い換えれば、参照テーブル２４５が同一の平衡電流値を示す検出結果に対応した温度分布モデルデータ２４２をグループ化した集合データであるので、複数の温度分布モデルデータ２４２のうち一部を平衡電流値で絞り込むことができる。これによって、演算部１３２は、平衡電流値に基づいて参照テーブル２４５を特定し、パルスオフ後の電流値Ｍａｘの値及び電流値Ｍｉｎの値に基づいて、この参照テーブル２４５に含まれる温度分布モデルデータ２４２のうち電流値の変化パターンに対応する温度分布モデルデータ２４２を特定することができる。このように、特定部１３５は、電気信号が印加されている電極２１５の平衡電流値と電気信号が印加されている状態から非印加の状態になった後に生じた電流値の変化とに基づいて、電極２１５のＹ方向の温度分布を特定することができる。
【００４４】
より具体的には、例えば電極２１５のうち検出部１２０に接続された端部側の部分の電気抵抗値をΩ１とする。また、電極２１５のうちＹ方向の中央部分の電気抵抗値をΩ２とする。また、電極２１５のうち端部の反対側の部分の電気抵抗値をΩ３とする。また、これらの各部分の温度が均等にある温度（温度Ｃ１）である場合の電極２１５の電気抵抗値をΩＡとする。この場合に、Ω１＋Ω２＋Ω３＝ΩＡが成り立つものとし、パルスオン時に検出部１２０により平衡電流値Ａ１が検出されるものとする。ここで、いずれかの部分（例えば中央部分）の温度が温度Ｃ１より高いことで、この部分の電気抵抗値が高くなり、他の部分の温度が温度Ｃ１より低いことで、他の部分の電気抵抗値が低くなる場合、Ω２＞Ω１（又はΩ３）の関係が成り立つ。一方、この関係が成り立つ場合に電極２１５全体の電気抵抗値が結果的にΩ１＋Ω２＋Ω３＝ΩＡとなるときがある。このときにも、パルスオン時に検出部１２０により平衡電流値Ａ１が検出される。すなわち、パルスオン時に検出部１２０により検出される平衡電流値が同一であっても、各部の温度が「均等」である場合と一部分が他の部分に比して高温である場合とがあり得る。これらの各場合において、パルスオフ後の電流値の変化はそれぞれ異なるものになる。よって、パルスオフ後の電流値の変化に基づいて、電極２１５の温度分布を特定することができる。
【００４５】
図１３〜図１６に示す電流値の変化と電極２１５の温度分布との対応関係はあくまで一例である。記憶部１３１は、電極２１５の温度分布の複数のパターンと、これらの複数のパターンの各々に応じた電流値の変化パターンとの対応関係を示す複数の温度分布モデルデータ２４２を記憶する。
【００４６】
第２実施例における特定部１３５は、Ｘ方向に並列する複数の電極２１５の温度分布を個別に特定する。よって、第２実施例の表示装置２００では、第１実施例のコマンド実行装置１００と同様、Ｘ方向に並列する電極２１５の各々の温度を特定することができる。
【００４７】
電極２１５を用いた温度情報取得に係る各種の分解能は、本発明の実施に係る具体的な態様に応じる。例えば、一つの電極２１５のＸ方向の幅が２ｍｍ、電極２１５同士の間隔が１．５ｍｍである場合、半径１ｃｍ程度の範囲の単位で面部（例えば液晶ディスプレイの表示面等）の各部の温度を特定することができる。また、Ｘ方向の分解能に関しては、電極２１５同士の間隔を変更することで変更することができる。また、Ｙ方向の分解能に関しては、電極２１５の温度を特定するために参照されるデータ（例えば温度分布データ等）のパターン数に応じる。なお、このデータの参照のみで直接特定することができない部分の温度について、特定部１３５は、例えば検出部１２０により検出された検出結果に近似する複数のデータを用いて補間処理を行うことで、電極２１５の温度を特定するようにしてもよいし、全てのデータを参照して最も近似するデータを採用するようにしてもよい。また、このデータは、電極２１５と印加部１１０及び検出部１２０とを接続する配線を考慮したものである。
【００４８】
なお、検出部１２０により検出される平衡電流値が相対的に大きい場合、電極２１５の温度は相対的に低いことになる。このため、平衡電流値がある閾値（第１閾値）以上、すなわち、電極２１５全体の電気抵抗値がこの閾値に対応した電気抵抗値以下である場合、どのような温度分布であったとしても第１温度を超える部分が電極２１５に存在しないときがある。このような場合、実行部１３６はコマンドを実行しないことから、実行部１３６の動作制御の観点において、温度分布の詳細な特定は不要になる。このため、第２実施例では、平衡電流値が第１閾値以上の値である場合、特定部１３５による電極２１５の温度分布の特定を省略する。
【００４９】
図１７は、第２実施例における電極２１５の温度情報に関する処理の流れの一例を示すフローチャートである。印加部１１０は、複数の電極２１５に電気信号を印加する（ステップＳ２１）。検出部１２０は、ステップＳ２１で印加された電気信号により生じる複数の電極２１５の電気的変化を検出する（ステップＳ２２）。第２実施例では、ステップＳ２２で複数の電極２１５の各々の電流値の変化が測定される。特定部１３５は、平衡電流値を求める（ステップＳ２３）。特定部１３５は、ステップＳ２３で求められた平衡電流値に、第１閾値以上である平衡電流値が含まれるか否か判定する（ステップＳ２４）。全ての平衡電流値が第１閾値未満であると判定された場合（ステップＳ２４；Ｎｏ）、電極２１５の温度情報に関する処理は終了する。第１閾値以上である平衡電流値が含まれると判定された場合（ステップＳ２４；Ｙｅｓ）、特定部１３５は、平衡電流値が第１閾値以上である電極２１５の温度分布を特定する（ステップＳ２５）。実行部１３６は、ステップＳ２５で特定された電極２１５の温度分布において、第１温度を超える部分があるか否か判定する（ステップＳ２６）。第１温度を超える部分があると判定された場合（ステップＳ２６；Ｙｅｓ）、実行部１３６は、表示部２１０による表示を終了させるためのコマンドを表示部２１０に出力する（ステップＳ２７）。表示部２１０は、ステップＳ２７のコマンドに応じて表示動作を終了する（ステップＳ２８）。ステップＳ２８の処理後又はステップＳ２６において第１温度を超える部分がないと判定された場合（ステップＳ２６；Ｎｏ）、電極２１５の温度情報に関する処理は終了する。平衡電流値が第１閾値以上である電極２１５の温度分布を特定するとした点はあくまで一例であってこれに限られるものでなく、適宜変更可能である。例えば、平衡電流値に関わらず全ての電極２１５の温度分布を求めるようにしてもよい。
【００５０】
図１８は、第２実施例における特定部１３５による温度分布モデルデータ２４２の特定処理の流れの一例を示すフローチャートである。図１８に示すフローチャートは、図１７のフローチャートにおけるステップＳ２５のサブフローチャートである。演算部１３２は、平衡電流値が第１閾値以上である電極２１５のうち、まだ温度に関する情報が特定されていない一つの電極２１５を選択する（ステップＳ３１）。演算部１３２は、ステップＳ３１で選択された電極２１５の平衡電流値に対応する参照テーブル２４５を特定する（ステップＳ３２）。演算部１３２は、パルスオフ後の電流値Ｍａｘの値及び電流値Ｍｉｎの値を求める（ステップＳ３３）。演算部１３２は、ステップＳ３２で特定された参照テーブル２４５に含まれる温度分布モデルデータ２４２のうち、ステップＳ３３で求められた電流値Ｍａｘの値及び電流値Ｍｉｎの値に対応する温度分布モデルデータ２４２を特定する（ステップＳ３４）。温度分布モデルデータ２４２の特定により、その温度分布モデルデータ２４２が示す電極２１５の温度分布が特定される。演算部１３２は、平衡電流値が第１閾値以上である全ての電極２１５の温度分布を特定したか否か判定する（ステップＳ３５）。まだ全ての電極２１５の温度分布を特定していない場合（ステップＳ３５；Ｎｏ）、処理は、ステップＳ３１に移行する。全ての電極２１５の温度分布を特定した場合（ステップＳ３５；Ｙｅｓ）、演算部１３２は、温度分布モデルデータ２４２の特定処理を終了する。
【００５１】
以上、第２実施例によれば、第１実施例の効果に加えて、複数の電極２１５の各々のＹ方向の温度分布を特定することができる。また、第１実施例と同様に、Ｘ方向について、複数の電極２１５の各々の温度を個別に検出することができる。これらのことから、複数の電極２１５が設けられた表示部２１０の表示面の各部の温度を特定することができる。
【００５２】
また、複数の電極２１５の一部又は全部が所定の温度（例えば１００℃）を超えた場合、コマンドにより表示部２１０による表示を終了させるので、表示部２１０の表示面の温度の上昇に伴う表示の乱れ等の問題の発生を抑制することができる。
【００５３】
また、電極２１５が透明であるので、表示部２１０の表示面に温度情報取得のための電極２１５を設けることによる表示内容への影響をより低減することができる。
【００５４】
＜３．第３実施例＞
次に、図１９〜図３２を参照して、本発明の第３実施例について説明する。第３実施例は、本発明による表示装置（表示装置２００Ａ）の一実施例であって、第２実施例と異なる実施例である。第３実施例において、第１実施例及び第２実施例の少なくともいずれか一方と同様の構成については、同じ符号を付して説明を省略することがある。図１９は、第３実施例による表示装置２００Ａの主要機能に係る構成を示すブロック図である。第３実施例は、照明部１８０を備える。照明部１８０は、表示部２１０に対して光を照射する照明装置を有する。具体的には、照射部１８０は、例えば表示部２１０に対して光を照射するバックライト２１２等を具備するが、これは照明部１８０の具体的構成の一例であってこれに限られるものでなく、適宜変更可能である。なお、第２実施例では照明部１８０に関する記載を省略しているが、第２実施例の表示装置も、第３実施例と同様に、例えばバックライト２１２等を具備する照明部１８０を備えている。
【００５５】
第３実施例における印加部１１０は、第１の所定時間（例えば２００マイクロ秒）の間パルスが立ち上がり、その後第２の所定時間（例えば１００マイクロ秒）の間パルスが下がるパルス信号を電極２１５に出力する。第３実施例の検出部１２０は、電極２１５の電圧値を検出する電圧検出部１２２を有する。検出部１２０は、印加部１１０により印加された電気信号により生じる電圧値の変化を電圧検出部１２２で検出する。検出部１２０は、検出された電気的変化（電圧値の変化）を示す信号を制御部１３０に出力する。
【００５６】
第３実施例の記憶部１３１は、抵抗分布モデルデータ３４２を記憶する。抵抗分布モデルデータ３４２は、電極２１５の電圧値の検出結果に基づいて求めることができる電極２１５の各部分の電気抵抗値の分布（抵抗分布）と電極２１５の温度分布との関係を示すデータである。第３実施例において、複数の抵抗分布モデルデータ３４２のうち、平衡電圧値（後述）が同一である抵抗分布モデルデータ３４２は、一つの参照単位（例えば参照テーブル３４５）にまとめられている。第３実施例の特定部１３５は、検出部１２０により検出された電圧値の変化を示す情報から、この変化に対応する抵抗分布モデルデータ３４２を特定する。具体的には、第３実施例において特定部１３５として機能する演算部１３２は、印加部１１０から出力されたパルス信号に対する電気的変化（電圧値の変化）の積分値を算出し、電圧値の変化における平衡電圧値及び算出された積分値に対応する抵抗分布モデルデータ３４２を特定する。
【００５７】
第３実施例の実行部１３６は、複数の電極２１５の温度に基づいて、表示部２１０に対する照射を減衰するためのコマンドを実行する。具体的には、実行部１３６は、例えば、複数の電極２１５の一部又は全部が第２温度（例えば８０℃）を超えた場合、照明部１８０の照射量を減少させるコマンドを照名部１８０に出力する。照明部１８０は、コマンドに応じて動作し、表示部２１０への照射量を減少する。これによって、表示部２１０に対する光の照射による温度の上昇に伴う表示の乱れ等が生じることを抑制することができる。
【００５８】
図２０は、一つの電極２１５の計算モデルの一例を示す図である。図２０に示すように、電極２１５のうち、印加部１１０及び検出部１２０に接続される両端に近い方の一部分を「左」側とし、電極２１５のうち、印加部１１０及び検出部１２０に接続される両端から遠い方の一部分を「右」側とし、「左」側と「右」側との間を「中」側と記載する。
【００５９】
図２１は、低抵抗時のパルス応答の変化パターンに対応する電圧波形の一例を示す図である。図２２は、高抵抗時のパルス応答の変化パターンに対応する電圧波形の一例を示す図である。なお、図２１及び図２２等における「低抵抗時」及び「高抵抗時」の記載は、あくまで電極２１５の電気抵抗値として現れ得る複数の電気抵抗値に含まれる、互いに異なる電気抵抗値の相対的な比較に基づいた記載である。図２１及び図２２に示すように、低抵抗時のほうが高抵抗時に比して検出部１２０により検出される電圧値が大きい。なお、「低抵抗時」、「高抵抗時」の区別は、パルスオン時の平衡電圧値の高低に基づく。第３実施例における平衡電圧値は、第２実施例における平衡電流値と同様に、電極２１５全体の電気抵抗値に対応する。このため、第２実施例と同様に、第３実施例においても、平衡電圧値を用いて抵抗分布モデルデータ３４２を絞り込むことができる。言い換えれば、参照テーブル３４５は、同一の平衡電圧値を示す検出結果に対応した抵抗分布モデルデータ３４２をグループ化した集合データであり、一つの参照単位として機能する。
【００６０】
例えば、図２１及び図２２に示すような、パルスオン及びパルスオフに対して電極２１５が示した電圧値の変化の積分値は、図２３及び図２４に示すようなグラフになる。図２１、図２２には、それぞれ、「右」、「中」、「左」及び「均等」と付された電圧値の変化曲線が記載されている。これは、同一の平衡電圧値が検出される場合に、電極２１５全体の温度が「均等」であるとき又は電極２１５の「右」側、「中」側若しくは「左」側のいずれかの部分の温度が他の部分に比して高いときの各々で、電圧値の変化パターンが異なるためである。なお、第３実施例における「均等」は、電極２１５のＹ方向における異なる複数個所（例えば「右」、「中」、「左」の３箇所）に設定された各部分の温度が、電圧値（電気抵抗値）との対応関係に基づいた温度の分解能において実質的に同一であるか、または各部分の温度差が所定の範囲内（例えば１℃以内）であることをさす。
【００６１】
図２１及び図２２に示す電圧波形に付された文字は、電極２１５で温度が高い部分（又は温度が電極２１５全体で均等であること）を示す。言い換えれば、図２１、図２２に示す電圧波形は、一つの参照単位（例えば参照テーブル３４５）に含まれる複数の抵抗分布モデルデータ３４２の各々に対応する電圧値の変化パターンであり得る。
【００６２】
図２３は、図２１に示す変化パターンにより示される電圧値の積分を示す図である。図２４は、図２２に示す変化パターンにより示される電圧値の積分を示す図である。演算部１３２は、図２１及び図２２に示すような変化パターンが検出された場合の電圧値の積分（時間積分）を算出する。これにより、図２３及び図２４に示すような電圧値の積分が得られる。
【００６３】
図２５は、図２１に示す電圧値のうちパルスオン開始から２００マイクロ秒〜２５０マイクロ秒後の電圧値の積分から得られる電圧値の変化の最小値を示す図である。図２６は、図２２に示す電圧値のうちパルスオン開始から２００マイクロ秒〜２５０マイクロ秒後の電圧値の積分から得られる電圧値の変化の最小値を示す図である。図２５及び図２６における電圧積分量は、パルスオフ時の電圧積分値を基準とした変化量の最小値を示す。図２５及び図２６に示すように、電圧値の積分から得られるパルスオフ後の電圧値の変化の最小値同士の大小関係は、「中」＜「右」＜「左」＜「均等」のようになる。これは即ち、「中」の部分の温度が高い場合にパルスオフ後の電圧値の変化の最小値が最も小さくなり、温度が高い部分が「右」、「左」に遷移するごとにこの最小値が大きくなってゆき、各部分の温度が「均等」である場合にこの最小値が最も大きくなることを示している。このため、特定部１３５は、パルスオフ後の電圧値の変化の最小値を用いて、電極２１５の温度分布を特定することができる。
【００６４】
図２７は、二つの参照テーブル３４５の各々に含まれる複数の抵抗分布モデルデータ３４２の各々と対応付けられた電圧値の積分から得られる電圧値の変化の最小値の一例を示す図である。図２７に示す最小値のグラフは、最小値の各点に対応する抵抗分布モデルデータ３４２を含む。具体的には、図２７における一つの線グラフは、一つの参照テーブル３４５に含まれる複数の抵抗分布モデルデータ３４２が示す最小値の各点と、各点間を補間処理で接続した線分により構成される。なお、図２７に示すグラフは、図２１及び図２２に示す電圧波形に対応している。特定部１３５は、検出部１２０による検出結果から、平衡電圧値及びパルスオフ後の電圧値の変化の最小値を求める。特定部１３５は、平衡電圧値に対応する参照テーブル３４５を特定する。ここで特定された参照テーブル３４５に含まれる複数の抵抗分布モデルデータ３４２の各々が示すパルスオフ後の電圧値の変化の最小値をグラフ化すると、例えば図２７に示す線グラフのうちの一方のようなグラフになる。特定部１３５は、特定された参照テーブル３４５に含まれる複数の抵抗分布モデルデータ３４２のうち、検出部１２０による検出結果から求められたパルスオフ後の電圧値の変化の最小値に対応する抵抗分布モデルデータ３４２を特定する。特定部１３５は、特定された抵抗分布モデルデータ３４２が示す電極２１５の温度分布を、検出部１２０による検出時の温度分布とする。
【００６５】
なお、電圧値の変化に基づいた電極２１５の温度分布の特定方法は、パルスオフ後の電圧値の変化の最小値を用いる方法に限らない。図２８は、図２３に示す電圧波形積分のうち、パルスオン開始から１８０マイクロ秒〜２１０マイクロ秒後の電圧波形積分を拡大して示す図である。図２９は、図２４に示す電圧波形積分のうち、パルスオン開始から１８０マイクロ秒〜２１０マイクロ秒後の電圧波形積分を拡大して示す図である。図２１及び図２２に示すように同一の平衡電圧値が得られる状況下であっても、電圧波形積分は、図２８及び図２９に示すように、電極２１５のうち温度が高い部分の位置に応じて異なるものになる。具体的には、両端から遠い方の一部分（「右」側）の温度が高い場合の電圧積分値がより大きくなり、両端から近い方の一部分（「左」側）の温度が高い場合の電圧積分値がより小さくなる。このため、特定部１３５は、電圧積分値を用いて、電極２１５の温度分布を特定することができる。
【００６６】
図３０は、二つの参照テーブル３４５の各々に含まれる複数の抵抗分布モデルデータ３４２の各々と対応付けられた電圧積分値の一例を示す図である。図３０に示す電圧積分値のグラフは、実際には複数の電圧積分値を示す点である。参照テーブル３４５は、電圧積分値の各点に対応する抵抗分布モデルデータ３４２、すなわち、電極２１５の各部分の電気抵抗値と電極２１５の各部分の温度との対応関係を示すデータを含む。図３０における一つの線グラフは、一つの参照テーブル３４５に対応する。具体的には、図３０における一つの線グラフは、一つの参照テーブル３４５に含まれる複数の抵抗分布モデルデータ３４２が示す電圧積分値の各点と、各点間を補間処理で接続した線分により構成される。なお、図３０に示すグラフは、図２１及び図２２に示す電圧波形に対応している。特定部１３５は、検出部１２０による検出結果から、平衡電圧値及びパルスオフ後の電圧積分値を求める。特定部１３５は、平衡電圧値に対応する参照テーブル３４５を特定する。ここで特定された参照テーブル３４５に含まれる複数の抵抗分布モデルデータ３４２の各々が示すパルスオフ後の電圧積分値をグラフ化すると、例えば図３０に示す線グラフのうちの一方のようなグラフになる。特定部１３５は、特定された参照テーブル３４５に含まれる複数の抵抗分布モデルデータ３４２のうち、検出部１２０による検出結果から求められたパルスオフ後の電圧積分値に対応する抵抗分布モデルデータ３４２を特定する。特定部１３５は、特定された抵抗分布モデルデータ３４２が示す電極２１５の温度分布を、検出部１２０による検出時の温度分布とする。
【００６７】
図３０に示す例の場合、高抵抗時におけるパルスオン開始から２１０マイクロ秒後の電圧積分値同士の比較結果は、「左」＜「中」≒「均等」＜「右」のようになる。このように、電圧積分値だけでは、温度が高い部分が「中」である場合と各部分の温度が「均等」である場合との区別がつきにくい場合がある。また、図２７に示すようなパルスオフ後の電圧値の変化の最小値を用いて電極２１５の温度分布を特定する場合において、区別がつきにくいパターン（例えば、高抵抗時において温度が高い部分が「左」と各部分の温度が「均等」である場合との区別がつきにくいパターン）が生じることがある。このため、パルスオフ後の電圧値の変化の最小値又は電圧積分値のいずれか一方だけでは、電極２１５の温度分布の特定が難しい場合がある。このような場合に、両方を用いて電極２１５の温度分布の特定の精度をより高めるようにしてもよい。具体的には、特定部１３５は、例えばパルスオフ後の電圧値の変化の最小値に基づいた電極２１５の温度分布の特定結果と電圧積分値に基づいた電極２１５の温度分布の特定結果とで一致する特定結果を採用するようにしてもよい。一致する特定結果がない場合、特定部１３５は、例えばパルスオフ後の電圧値の変化の最小値に基づいた電極２１５の温度分布の特定結果のうち、電圧積分値に基づいた電極２１５の温度分布の特定結果に含まれる温度分布に最も近似する温度分布を示す特定結果を採用するようにしてもよい。これらの具体的な特定方法はあくまで一例であり、適宜変更可能である。例えば、パルスオフ後の電圧値の変化の最小値による温度分布の特定方法で用いる抵抗分布モデルデータ３４２（及び参照テーブル３４５）と、電圧積分値による温度分布の特定方法で用いる抵抗分布モデルデータ３４２（及び参照テーブル３４５）とを個別に設け、それぞれの特定方法で温度分布の特定結果が一つに定まる範囲についてのみ「左」、「中」、「均等」又は「右」のように対応する温度分布の特定結果を定義するようにしてもよい。この場合、それぞれの特定方法で温度分布の特定結果が一つに定まらない範囲は、ノイズとして無効化又は削除される。ただし、パルスオフ後の電圧値の変化の最小値による温度分布の特定方法で用いる抵抗分布モデルデータ３４２と、電圧積分値による温度分布の特定方法で用いる抵抗分布モデルデータ３４２とのいずれか一方でノイズとされた部分に対応する検出結果が検出部１２０により検出された場合に、他方ではノイズとされずに温度分布を特定することができるように、あらかじめ最小値及び電圧積分値と温度分布の特定結果との関係を定義しておく。これにより、どのような検出結果であっても、パルスオフ後の電圧値の変化の最小値及び電圧積分値の少なくともいずれか一方を用いて電極２１５の温度分布を特定することができる。
【００６８】
具体的には、第３実施例における抵抗分布モデルデータ３４２は、平衡電圧値と、パルスオフ後の電圧積分値と、パルスオフ後の電圧値の変化の最小値との組み合わせパターンと、この組み合わせパターンが成立する場合の電極の温度分布とを示すデータである。このため、電極２１５の各部分の温度に応じた電気的変化（電圧値の変化が示す平衡電圧値と、パルスオフ後の電圧値の変化）を検出し、検出された電気的変化が示す平衡電圧値と、パルスオフ後の電圧積分値及びパルスオフ後の電圧値の変化の最小値の少なくともいずれか一方とに対応する抵抗分布モデルデータ３４２を特定することで、電極２１５の温度分布を特定することができる。
【００６９】
より具体的には、第３実施例では、特定部１３５は、例えばパルスオフ後の電圧値の変化の最小値に基づいて電極２１５の温度分布を特定する。ここで、電極２１５の温度分布を一つに定めることが難しい場合、特定部１３５は、さらに電圧積分値に基づいて電極２１５の温度分布を特定し、パルスオフ後の電圧値の変化の最小値に基づいて特定された電極２１５の温度分布と一致又は最も近似する温度分布を特定する。無論、この特定方法はあくまで一例であり、適宜変更可能である。例えば、特定部１３５は、パルスオフ後の電圧値の変化の最小値に基づいて、平衡電圧値に対応する参照テーブル３４５に含まれるすべての抵抗分布モデルデータ３４２を参照し、この最小値と一致又は最も近似する最小値に対応する抵抗分布モデルデータ３４２を必ず一つ定め、この一つの抵抗モデルデータ３４２が示す温度分布を電極２１５の温度分布として特定するようにしてもよい。この例の場合、電圧積分値を用いる温度分布の特定は不要である。また、別の例として、特定部１３５は、電圧積分値に基づいて電極２１５の温度分布を特定し、電極２１５の温度分布を一つに定めることが難しい場合、パルスオフ後の電圧値の変化の最小値に基づいて電極２１５の温度分布を特定し、電圧積分値に基づいて特定された電極２１５の温度分布と一致又は最も近似する温度分布を特定するようにしてもよい。
【００７０】
図３１は、第３実施例における電極２１５の温度情報に関する処理の流れの一例を示すフローチャートである。印加部１１０は、複数の電極２１５に電気信号を印加する（ステップＳ５１）。検出部１２０は、ステップＳ５１で印加された電気信号により生じる複数の電極２１５の電気的変化を検出する（ステップＳ５２）。第３実施例では、ステップＳ５２で複数の電極２１５の各々の電圧値の変化が測定される。特定部１３５は、複数の電極２１５の各々の平衡電圧値を求める（ステップＳ５３）。特定部１３５は、ステップＳ５３で求められた平衡電圧値に、第２閾値以上である平衡電圧値が含まれるか否か判定する（ステップＳ５４）。全ての平衡電圧値が第２閾値未満であると判定された場合（ステップＳ５４；Ｎｏ）、電極２１５の温度情報に関する処理は終了する。これは、検出部１２０により検出される平衡電圧値が相対的に大きい場合、電極２１５の温度は相対的に低いことになるが、平衡電圧値がある閾値（第２閾値）以上、すなわち、電極２１５全体の電気抵抗値がこの閾値に対応した電気抵抗値以下である場合、どのような温度分布であったとしても第２温度超える部分が電極２１５に存在しないときがある。このような場合、実行部１３６はコマンドを実行しないことから、実行部１３６の動作制御の観点において、温度分布の詳細な特定は不要になる。このため、第３実施例では、平衡電圧値が第２閾値以上の値である場合、特定部１３５による電極２１５の温度分布の特定を省略する。
【００７１】
第２閾値以上である平衡電圧値が含まれると判定された場合（ステップＳ５４；Ｙｅｓ）、特定部１３５は、平衡電圧値が第２閾値以上である電極２１５の温度分布を特定する（ステップＳ５５）。実行部１３６は、ステップＳ５５で特定された電極２１５の温度分布において、第２温度を超える部分があるか否か判定する（ステップＳ５６）。第２温度を超える部分があると判定された場合（ステップＳ５６；Ｙｅｓ）、実行部１３６は、照明部１８０を調整させるコマンドを照明部１８０に出力する（ステップＳ５７）。照明部１８０は、ステップＳ５７のコマンドに応じて動作する（ステップＳ５８）。ステップＳ５８の処理後又はステップＳ５６において第２温度を超える部分がないと判定された場合（ステップＳ５６；Ｎｏ）、電極２１５の温度情報に関する処理は終了する。
【００７２】
図３２は、第３実施例における特定部１３５による抵抗分布モデルデータ３４２の特定処理の流れの一例を示すフローチャートである。図３２に示すフローチャートは、図３２のフローチャートにおけるステップＳ５５のサブフローチャートである。演算部１３２は、平衡電圧値が第２閾値以上である電極２１５のうち、まだ温度に関する情報が特定されていない一つの電極２１５を選択する（ステップＳ６１）。演算部１３２は、ステップＳ６１で選択された電極２１５の平衡電圧値に対応する参照テーブル３４５を特定する（ステップＳ６２）。演算部１３２は、検出部１２０により検出された電圧値の変化パターンから電圧積分値を算出する（ステップＳ６３）。演算部１３２は、ステップＳ６３で算出された電圧積分値からパルスオフ後の電圧値の変化の最小値を算出する（ステップＳ６４）。演算部１３２は、ステップＳ６４で算出された最小値に対応する抵抗分布モデルデータ３４２（第１の抵抗分布モデルデータ）を特定する（ステップＳ６５）。演算部１３２は、第１の抵抗分布モデルデータにより電極２１５の温度分布が一つに定まるか否か判定する（ステップＳ６６）。具体的には、演算部２１５は、ステップＳ６２で特定された参照テーブル３４５に含まれる抵抗分布モデルデータ３４２のうち、ステップＳ６４で求められた最小値に対応する抵抗分布モデルデータ３４２の数が一つであるか否か判定する。電極２１５の温度分布が一つに定まると判定された場合（ステップＳ６６；Ｙｅｓ）、演算部１３２は、一つに定まった温度分布をステップＳ６１で選択された電極２１５の温度分布として特定する（ステップＳ６７）。一方、電極２１５の温度分布が一つに定まらない、すなわち複数の抵抗分布モデルデータ３４２が第１の抵抗分布モデルデータに該当すると判定された場合（ステップＳ６６；Ｎｏ）、演算部１３２は、ステップＳ６２で特定された参照テーブル３４５に含まれる抵抗分布モデルデータ３４２のうち、ステップＳ６１で選択された電極２１５の電圧積分値に対応する抵抗分布モデルデータ３４２（第２の抵抗分布モデルデータ）を特定する（ステップＳ６８）。演算部１３２は、第１の抵抗分布モデルデータに該当する複数の抵抗分布モデルデータ３４２の各々が示す温度分布のうち、第２の抵抗分布モデルデータが示す温度分布に一致するか又は最も近似する温度分布を、ステップＳ６１で選択された電極２１５の温度分布として特定する（ステップＳ６９）。ステップＳ６７の処理又はステップＳ６９の処理後、演算部１３２は、平衡電圧値が第２閾値以上である全ての電極２１５の温度分布を特定したか否か判定する（ステップＳ７０）。まだ全ての電極２１５の温度分布を特定していない場合（ステップＳ７０；Ｎｏ）、処理は、ステップＳ６１に移行する。全ての電極２１５の温度分布を特定した場合（ステップＳ７０；Ｙｅｓ）、演算部１３２は、抵抗分布モデルデータ３４２の特定処理を終了する。
【００７３】
このように、特定部１３５は、電気信号が印加されている電極２１５の平衡電圧値と電気信号が印加されている状態から非印加の状態になった後に生じた電圧値の変化とに基づいて、電極２１５のＹ方向の温度分布を特定する。
【００７４】
以上説明したように、第３実施例によれば、第１実施例及び第２実施例の効果に加えて、電圧値の積分を用いることで、複数の電極２１５の各々の温度分布をより精密に特定することができる。
【００７５】
なお、第３実施例では、複数の電極２１５の一部又は全部が第２温度（例えば８０℃）を超えた場合、照明部１８０の照射量を減少させているが、これは電極２１５の温度に応じたコマンドの実行の一形態であってこれに限られるものでなく、適宜変更可能である。例えば、表示部を冷却するファン等を備えた冷却部を設け、第２温度を超えた場合等の温度上昇時にこの冷却部を動作させるようにしてもよい。
【００７６】
＜４．適用例＞
次に、図３３〜図３８を参照して、上記の実施例で説明した表示装置の適用例について説明する。上記の実施例で説明した表示装置は、ヘッドアップディスプレイ、車載表示装置、スマートフォンその他のあらゆる分野の電子機器に適用することが可能である。言い換えると、係る表示装置は、外部から入力された映像信号あるいは内部で生成した映像信号を、画像あるいは映像として表示するあらゆる分野の電子機器に適用することが可能である。
【００７７】
（適用例１）
図３３は、本発明の表示装置が適用されるＨＵＤ１を示す概略図である。ＨＵＤ１は、乗用車、バス又はトラック等の車両に搭載されて、投影面、例えば、車両のウインドシールドに情報を表示する。車両の運転者Ｍは、前景からほとんど視線を逸らさずに、ウインドシールドＷに表示された情報を視認することができる。
【００７８】
ＨＵＤ１は、光源２と、表示装置３と、ミラー４と、を含む。光源２は、例えば、ＬＥＤ（Light  Emitting  Diode）であるが、これに限定されるものではない。表示装置３は、液晶表示パネルであるが、これに限定されるものではない。ミラー４は、表示装置の画像を投影面、例えば、ウインドシールドＷに投影するためのものであり、凹面鏡である。なお、ミラー４は、必須の構成ではなく、直接ウインドシールドＷに表示装置の画像が投影される形でもよい。また、ミラー４を複数経由してウインドシールドＷに投影されてもよい。ＨＵＤ１は、ウインドシールドＷ及びミラー４と対向する位置に、開口部５を有している。
【００７９】
表示装置３が投影した画像Ｐは、ミラー４によって反射されて、開口部５を通過してウインドシールドＷに投影される。ミラー４は、画像Ｐを拡大してウインドシールドＷに投影する。運転者Ｍは、ウインドシールドＷを通して、表示装置３が投影した画像Ｐの虚像ＰＩを視認する。
【００８０】
車両のウインドシールドＷは、太陽Ｓからの光（太陽光）ＬＳが照射される。ウインドシールドＷに照射された太陽光ＬＳは、ＨＵＤ１の開口部５を通過してミラー４で反射され、表示装置３に照射される。前述したように、ミラー４は、表示装置３が表示した画像Ｐを反射する際に拡大してウインドシールドＷに投影する。このため、ウインドシールドＷからの太陽光ＬＳは、ミラー４で縮小して表示装置３に照射される。
【００８１】
表示装置３は、太陽光ＬＳに含まれる赤外線によって昇温する。太陽光ＬＳは、ミラー４で集光されるため、表示装置３に照射される赤外線のエネルギー密度が大きくなる。表示装置３は、車両のフロントパネルＩＰ内に収納されるため、熱がこもりやすい環境で使用される。このため、表示装置３は、昇温しやすい環境で使用される。表示装置３は、上記実施例に係る表示装置により構成されている。これにより、表示面の温度情報の取得及び温度に応じた表示部２１０の動作制御を行うことができる。
【００８２】
なお、このようなＨＵＤ１では、ミラー４で集光される太陽光ＬＳが表示装置３の表示面の中央部分により集中しやすい傾向がある。このため、温度が上昇しやすい表示面のＸ方向の中央部等のみに電極２１５を配置するようにしてもよい。また、表示面において、Ｘ方向について全体的に電極２１５を配置しつつ、このような一部分により多くの電極２１５を集中的により高密度で配置するようにしてもよい。
【００８３】
（適用例２）
本発明を構成する電極と、タッチ検出機能付き表示装置におけるタッチ検出のための電極とは、共用の関係にあることができる。具体的には、静電容量タッチパネルにおけるタッチ検出電極を、本発明を構成する電極として用いることができる。すなわち、本発明による入力機能付き表示装置において、入力機能に関する電極と温度に関する情報の取得に関する電極とを共用することができる。
【００８４】
以下、本発明の入力機能付き表示装置の一例であって、本発明の発明特定事項である電極として静電容量タッチパネルにおけるタッチ検出電極を用いる場合の一例について、図３４〜図３６を参照して説明する。図３４は、本発明の実施の形態に係るタッチ検出機能付き表示装置の一構成例を表すものである。図３５は、図３４の要部（部分Ａ１）の断面構造の例を表すものである。このタッチ検出機能付き表示装置は、表示素子として液晶表示素子を用いており、その液晶表示素子により構成される液晶表示デバイスと静電容量式のタッチ検出デバイスとを一体化した、いわゆるインセルタイプの装置である。
【００８５】
タッチ検出機能付き表示装置１は、画素基板２と、対向基板３と、ＦＰＣ５と、液晶層６と、シール４と、バックライトＢＬとを備えている。
【００８６】
画素基板２は、図３５に示したように、回路基板としてのＴＦＴ基板２１と、共通電極ＣＯＭＬと、画素電極ＥＰＩＸとを有している。ＴＦＴ基板２１は、各種電極や配線、薄膜トランジスタ（ＴＦＴ；Thin  Film  Transistor）などが形成される回路基板として機能するものである。ＴＦＴ基板２１は例えばガラスにより構成されるものである。ＴＦＴ基板２１の上には、絶縁膜２２が形成され、その上に信号線ＳＧＬが形成されている。信号線ＳＧＬの上には、例えばアクリル系有機樹脂により構成される平坦化膜２３が形成され、その上に共通電極ＣＯＭＬが形成される。共通電極ＣＯＭＬは、複数の画素Ｐix（図示せず）に共通の電圧を供給するための電極であり、透光性を有するものである。また、共通電極ＣＯＭＬは、タッチセンサにおいて、交流矩形波Ｓｇを印加する電極としても用いられる。すなわち、共通電極ＣＯＭＬは、静電容量式タッチ検出を行う入力装置の駆動電極に対応するものである。共通電極ＣＯＭＬの上には絶縁膜２４が形成され、その上に画素電極ＥＰＩＸが形成される。画素電極ＥＰＩＸは、表示を行うための画素信号を供給するための電極であり、透光性を有するものである。共通電極ＣＯＭＬおよび画素電極ＥＰＩＸは、例えばＩＴＯにより構成される。画素電極ＥＰＩＸの上には、配向膜２５が形成されている。
【００８７】
対向基板３は、図３５に示したように、ガラス基板３１と、カラーフィルタ３２と、タッチ検出線ＴＤＬとを有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層をブラックマトリックス（ＢＬＫ）とともに周期的に配列して構成したもので、各表示画素にＲ、Ｇ、Ｂの３色が１組として対応付けられている。カラーフィルタ３２の上には、例えばアクリル系樹脂により構成される平坦化膜３３が形成され、その上に配向膜３４が形成されている。また、ガラス基板３１の他方の面には、タッチ検出電極ＴＤＬが一方向に延在するように並設されている。タッチ検出電極ＴＤＬは、タッチセンサにおいて、タッチ検出信号Ｖdetを出力する電極である。すなわち、タッチ検出電極ＴＤＬは、上述した静電容量式タッチ検出の基本原理におけるタッチ検出電極Ｅ２に対応するものである。タッチ検出電極ＴＤＬは、例えばＩＴＯにより構成され、透光性を有する電極である。タッチ検出電極ＴＤＬには、図３４に示したように端子部ＰＡＤが形成され、この端子部ＰＡＤを介してＦＰＣ５に接続されるようになっている。
【００８８】
ＦＰＣ５は、タッチ検出電極ＴＤＬのタッチ検出信号Ｖdetを外部に取り出すためのフレキシブルプリント基板である。このＦＰＣ５は、対向基板３の１辺に配置され、タッチ検出電極ＴＤＬと、端子部ＰＡＤを介して接続される。ＦＰＣ５は、例えば、後述するスイッチ３１１を介して検出部１２０，タッチ検出回路３２０又は固定電位３３０に接続される。また、ＦＰＣ５は、例えば、後述するスイッチ３１２を介して印加部１１０に接続される（図３６参照）。
【００８９】
液晶層６は、表示機能層として機能するものであり、電界の状態に応じてそこを通過する光を変調するものである。この電界は、共通電極ＣＯＭＬの電圧と画素電極ＥＰＩＸの電圧との電位差により形成される。液晶層６には、ＩＰＳ（インプレーンスイッチング）等の横電界モードの液晶が用いられる。
【００９０】
シール４は、液晶層６を画素基板２と対向基板３との間に封止するものである。シール４の材料は、例えばエポキシ樹脂が使用される。このシール４は、画素基板２および対向基板３の外縁部分４１に形成されている。
【００９１】
バックライトＢＬは、液晶層６が設けられた表示領域に対して画素基板２側から光を照射するものである。バックライトＢＬは、例えば複数の発光ダイオード（ＬＥＤ）と導光板とを有する。複数のＬＥＤから発せられた光は、導光板により面領域からの発光となるように導かれる。
【００９２】
図３６は、タッチ検出電極ＴＤＬに対する電気的接続の構成の一例を示す図である。図３６では、一つのタッチ検出電極ＴＤＬに関する電気的接続のみ示しているが、この電気的接続は温度に関する処理に用いられる全てのタッチ検出電極ＴＤＬに共通である。一つのスイッチ３１１は、ＦＰＣ５及び端子部ＰＡＤを介して接続されたタッチ検出電極ＴＤＬに対して、検出部１２０、タッチ検出回路３２０又は固定電位３３０のいずれかを選択的に接続する。スイッチ３１２は、ＦＰＣ５及び端子部ＰＡＤを介して接続されたタッチ検出電極ＴＤＬに対する印加部１１０の接続又は非接続を切り替える。スイッチ３１２は、例えばスイッチ３１１により検出部１２０がタッチ検出電極ＴＤＬに接続された場合にのみ印加部１１０をタッチ検出電極ＴＤＬに接続し、それ以外の場合には非接続にする。スイッチ３１１とスイッチ３１２とはＦＰＣ５及び端子部ＰＡＤを介して電気的に独立した配線としてタッチ検出電極ＴＤＬに接続される。スイッチ３１１，３１２により、タッチ検出回路３２０によるタッチ検出を行う場合にタッチ検出回路３２０をタッチ検出電極ＴＤＬに接続し、タッチ検出電極ＴＤＬの温度に関する処理を行う場合に印加部１１０及び検出部１２０をタッチ検出電極ＴＤＬに接続することができる。また、スイッチ３１１により固定電位３３０をタッチ検出電極ＴＤＬに接続することで、タッチ検出や温度に関する処理によるタッチ検出電極ＴＤＬの電気的変化をリセットすることができ、表示面に対する静電気が表示装置に与える影響をシールドするシールド電極とすることができる。
【００９３】
タッチ検出機能付き表示装置１のうち、駆動電極（例えば共通電極ＣＯＭＬ）、タッチ検出電極ＴＤＬ及びタッチ検出回路３２０が入力装置として機能する。これに、図３６等に示す印加部１１０及び検出部１２０との接続ならびに各実施例で説明した実行部１３６（例えば制御部１３０）の機能を組み合わせることで、本発明の入力装置として機能する。
【００９４】
上記で説明したタッチ検出機能付き表示装置１はあくまでシールド電極としても機能するタッチ検出電極を有する構成の一例であって、本発明の電極として共用可能なタッチ検出電極及びシールド電極はこれに限られるものでなく、その具体的態様について適宜変更可能である。例えば、上記のタッチ検出電極ＴＤＬのように配される電極がタッチ検出機能を有さず、シールド電極として利用されている場合であっても、このシールド電極と温度情報の取得に係る電極とを共用することができる。また、本発明を構成する電極２１５のような形状の電極を、タッチ検出電極ＴＤＬの形状として採用するようにしてもよい。また、スイッチ３１２，３１４を省略して、印加部１１０を共通電極ＣＯＭＬに接続するようにしてもよい。
【００９５】
図３７は、本発明の入力機能付き表示装置が適用される車載表示装置８２０の外観の一例を示す図である。車載表示装置８２０は、例えば自動車８００のダッシュボード８１０における所定位置に設けられる。車載表示装置８２０は、例えばタッチ検出機能付き表示装置１により構成されている。
【００９６】
（適用例３）
図３８は、本発明の入力機能付き表示装置が適用されるスマートフォン７００の外観の一例を示す図である。スマートフォン７００は、例えばその筐体７１０の一面に設けられた表示装置７２０を備える。表示装置７２０は、例えばタッチ検出機能付き表示装置１により構成されている。
【００９７】
＜５．その他＞
上記の実施例においては、開示例として液晶表示装置の場合を例示したが、その他の適用例として、有機ＥＬ表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【００９８】
本発明の一構成として設けられる複数の電極の素材はＩＴＯに限られない。複数の電極は、例えば銅（Ｃｕ）等を用いたメタル電極であってもよい。なお、電極の電気抵抗値等の電気的特性は、電極を構成する素材に応じて変化する。ここで、より低抵抗の素材が電極に用いられた場合、電極を含む回路の時定数がより小さくなる。この場合、印加部１１０から印加される電気信号により生じる電気的変化を検出可能な時間がより短くなる。よって、この電気的変化を検出するための検出部１２０の時間分解能は、電極の素材に応じて決定されることが好ましい。
【００９９】
電極２１５はＸ方向について対称の形状であるが、一例であってこれに限られるものでなく、非対称でもよい。
【０１００】
上記の実施例２，３では、電極２１５の温度が「均等」であると判定される場合の電極２１５における複数の部分の数が三つであるが、一例であってこれに限られるものでなく、二以上の任意の数の部分を設定することができる。温度分布モデルデータ２４２（又は抵抗分布テーブルデータ３４２）は、設定された「均等」の対象となる部分の数に応じた電気的変化を示すデータになる。具体的には、例えば上記の各実施例より詳細に五つの部分（例えば「右端」、「右中寄り」、「中」、「左中寄り」、「左端」等）に分けてもよい。また、「均等」の範囲や「局所的」の範囲についても任意に設定することができる。具体的には、例えば上記のような五つの部分のうち二つ以下の部分の温度が高い場合に「局所的」とし、三つ以上の部分の温度が実質的に同一であるか、温度差が所定の範囲内（例えば１℃以内）である場合に「均等」とするようにしてもよい。
【０１０１】
上記の各実施例におけるコマンドはあくまで一例であってこれに限られるものでない。例えば、第２実施例に冷却部１８０をさらに設けて、第３実施例と同様のコマンド（冷却部１８０の動作）をさらに実行するようにしてもよいし、第３実施例においてさらに第２実施例におけるコマンド（表示部２１０の動作終了）を実行するようにしてもよい。また、複数の電極２１５の一部が所定の温度（例えば１００℃）を超えた場合、当該一部の電極２１５に対応する部分の表示領域の表示内容を所定の内容（例えば単色表示等）に切り替えるようにしてもよい。その後、この部分の表示内容をこの所定の内容で維持することで、高温時に表示内容が切り替わることに応じて生じ得る表示内容の乱れの発生を抑制することができる。また、他の部分の表示領域で通常の表示を行うことで、表示装置を継続して動作させることができる。また、表示部２１０による表示を終了させるためのコマンドに代えて、温度の上昇に応じて段階的に表示部２１０のバックライト（光源２１２）の輝度を段階的に下げるようにしてもよい。これによって、温度上昇に伴い表示装置の正常な動作環境の確保が困難になりつつあることを示唆することができる。冷却部１８０による冷却の強さについても、同様に段階的に強弱を変化させるようにしてもよい。また、電極２１５を用いた温度分布の特定の分解能（範囲の細分化）に対応した単位でバックライトを個別に制御可能とし、温度が上昇した部分のバックライトのみ制御対象とするコマンドを実行部１３６に出力させるようにしてもよい。冷却部１８０による冷却箇所についても、同様に温度が上昇した部分に対して局所的な冷却を行うための構成（例えば集風器、風向変更部等）を設けてもよい。また、例えば、音声等により警告を発する警告部を備え、複数の電極２１５の一部又は全部がある温度（例えば１００℃）を超えた場合に、音声等により警告を発するようにしてもよい。
【０１０２】
上記第２の実施例等では、粘着糊２１４に誘電体を含ませることについて言及しているが、一例であってこれに限られるものでない。例えば、偏光板２１３のうち電極２１５が設けられる側の面のカバー層を塗布性のアクリル樹脂とすることで、同様の効果が得られる。
【０１０３】
また、上記の実施例における特定部１３５及び実行部として機能する制御部１３０は、演算部１３２が記憶部１３１からプログラムを読み出して実行処理する所謂ソフトウェア処理を行っているが、これは特定部１３０の実装の一例であってこれに限られるものでない。制御部１３０は、例えばＡＳＩＣ（application  specific  integrated  circuit）等の集積回路のようなハードウェアであってもよい。また、特定部１３０と実行部１３６が個別に設けられていてもよい。
【０１０４】
また、本実施形態において述べた態様によりもたらされる他の作用効果について本明細書の記載から明らかなもの、又は当業者において適宜想到し得るものについては、当然に本発明によりもたらされるものと解される。
【０１０５】
本開示は、例えば次のような構成を採用することができる。
【０１０６】
（１）画像を表示する表示部と、
前記表示部に対して光を照射する照射部と、
前記表示部の表示面に沿う所定の一方向に並列する複数の電極と、
前記複数の電極に電気信号を印加する印加部と、
前記電気信号により生じる前記複数の電極の電気的変化を検出する検出部と、
前記電気的変化が示す前記複数の電極の温度情報に基づいて、前記表示部又は前記照明部を制御する制御部と
を備える表示装置。
【０１０７】
（２）所定の一方向に並列する複数の電極と、
前記複数の電極に電気信号を印加する印加部と、
前記電気信号により生じる前記複数の電極の電気的変化を検出する検出部と、
前記電気的変化に基づいて前記複数の電極の各々の温度情報を特定する特定部と
を備える温度情報取得装置。
【０１０８】
（３）所定の一方向に並列する複数の電極に電気信号を印加することと、
前記電気信号により生じる前記複数の電極の電気的変化を検出することと、
前記電気的変化に基づいて前記複数の電極の各々の温度情報を特定することと
を含む温度情報取得方法。
【０１０９】
また、本開示に基づいて、例えば次のような構成を採用することもできる。
【０１１０】
（４）所定の面領域に対する接触操作又は近接操作を入力操作として検知する検知部と、
前記面領域に沿う所定の一方向に並列する複数の電極と、
前記複数の電極に電気信号を印加する印加部と、
前記電気信号により生じる前記複数の電極の電気的変化を検出する検出部と、
前記電気的変化が示す前記複数の電極の温度に基づいてコマンドを実行する実行部と
を備える入力装置。
【０１１１】
（５）画像を表示する表示部と、
前記表示部の表示面に対する接触操作又は近接操作を入力操作として検知する検知部と、
前記表示面に沿う所定の一方向に並列する複数の電極と、
前記複数の電極に電気信号を印加する印加部と、
前記電気信号により生じる前記複数の電極の電気的変化を検出する検出部と、
前記電気的変化が示す前記複数の電極の温度に基づいてコマンドを実行する実行部と
を備える入力機能付き表示装置。
【符号の説明】
【０１１２】
１００    コマンド実行装置
１１０    印加部
１２０    検出部
１３０    特定部
２００，２００Ａ    表示装置
２１０    表示部
２１４    粘着糊
２１５，Ａ〜Ｊ    電極
２１５Ａ  延設部
２１５Ｂ  接続部
【図１】
2015200720.tif 000003
【図２】
2015200720.tif 000004
【図３】
2015200720.tif 000005
【図４】
2015200720.tif 000006
【図５】
2015200720.tif 000007
【図６】
2015200720.tif 000008
【図７】
2015200720.tif 000009
【図８】
2015200720.tif 000010
【図９】
2015200720.tif 000011
【図１０】
2015200720.tif 000012
【図１１】
2015200720.tif 000013
【図１２】
2015200720.tif 000014
【図１３】
2015200720.tif 000015
【図１４】
2015200720.tif 000016
【図１５】
2015200720.tif 000017
【図１６】
2015200720.tif 000018
【図１７】
2015200720.tif 000019
【図１８】
2015200720.tif 000020
【図１９】
2015200720.tif 000021
【図２０】
2015200720.tif 000022
【図２１】
2015200720.tif 000023
【図２２】
2015200720.tif 000024
【図２３】
2015200720.tif 000025
【図２４】
2015200720.tif 000026
【図２５】
2015200720.tif 000027
【図２６】
2015200720.tif 000028
【図２７】
2015200720.tif 000029
【図２８】
2015200720.tif 000030
【図２９】
2015200720.tif 000031
【図３０】
2015200720.tif 000032
【図３１】
2015200720.tif 000033
【図３２】
2015200720.tif 000034
【図３３】
2015200720.tif 000035
【図３４】
2015200720.tif 000036
【図３５】
2015200720.tif 000037
【図３６】
2015200720.tif 000038
【図３７】
2015200720.tif 000039
【図３８】
2015200720.tif 000040